(57)【要約】【課題】ＩＰ網への接続の設定が可能なファクシミリ装置において、ＩＰ網への接続が設定されているときに、無意味なＤＩＳ信号の２度聞きによる通信時間の増加が無くなるファクシミリ装置を提供することを目的とするものである【解決手段】ＩＰ網に接続したか否かを設定する手段を設け、エコーサプレッサを有効にするエコーサプレッサ有効化手段を設け、エコー情報を受信した場合における対策を実行する手段を設け、上記ＩＰ網への接続が設定されたときは、上記エコーサプレッサ有効化手段を無効にする無効化手段を設けたファクシミリ装置である。【選択図】  図１
2004228610.tif 000002
【特許請求の範囲】
【請求項１】
ＩＰ網に接続したか否かを設定する手段と；
エコーサプレッサを有効にするエコーサプレッサ有効化手段と；
エコー情報を受信した場合における対策を実行する手段と；
上記ＩＰ網への接続が設定されたときは、上記エコーサプレッサ有効化手段を無効にする無効化手段と；
を有することを特徴とするファクシミリ装置。
【発明の詳細な説明】
【０００１】
【発明の属する技術分野】
本発明は、ファクシミリ装置、特に、ＩＰ網への接続の設定が可能なファクシミリ装置に関する。
【０００２】
【従来の技術】
最近、通信網のインターネット化に伴い、ファクシミリ端末とサービスプロバイダとの間では、従来のファクシミリ通信を実行し、一方、サービスプロバイダ同士の間では、インターネット通信を実現することによって、ファクシミリ通信する場合における通信費を削減することができる。
【０００３】
ところで、従来のファクシミリ装置は、国際回線等を介して行う長距離でのファクシミリ通信において、通信を確保するために、エコー対策設定手段を設けている。
【０００４】
そして、国際通信が設定されていると、たとえば、ＤＩＳ信号の２度聞きをすることによって、エコーサプレッサをイネーブルにし、エコーがかからないようにし、国際回線等を介して行う長距離でのファクシミリ通信において、通信を確保している。
【０００５】
【発明が解決しようとする課題】
しかし、上記従来例においては、エコーの発生があるので、ＤＩＳ信号の２度聞きを設定しても、エコー発生の原因が異なるので、有効では無く、さらに、通信時間（前手順の通信時間）が、ＤＩＳ信号の２度聞きによって長くなるという問題がある。つまり、ＤＩＳ信号を２度聞きするので、前手順時間が長くなるという問題がある。
【０００６】
本発明は、ＩＰ網への接続の設定が可能なファクシミリ装置において、ＩＰ網への接続が設定されているときに、無意味なＤＩＳ信号の２度聞きによる通信時間の増加が無くなるファクシミリ装置を提供することを目的とするものである。
【０００７】
【課題を解決するための手段】
本発明は、ＩＰ網に接続したか否かを設定する手段を設け、エコーサプレッサを有効にするエコーサプレッサ有効化手段を設け、エコー情報を受信した場合における対策を実行する手段を設け、上記ＩＰ網への接続が設定されたときは、上記エコーサプレッサ有効化手段を無効にする無効化手段を設けたファクシミリ装置である。
【０００８】
【発明の実施の形態と実施例】
図１は、本発明の第１の実施例であるファクシミリ装置ＦＳ１を示すブロック図である。
【０００９】
ファクシミリ装置ＦＳ１は、ＮＣＵ（網制御装置）２と、電話機４と、ハイブリッド回路６と、変復調器８と、発呼回路１０と、加算回路１２と、読取回路１４と、記録回路１６と、メモリ回路１８と、操作部２０と、ＣＰＵ（中央処理装置）２２と、ＲＯＭ２４とを有する。
【００１０】
ＮＣＵ（網制御装置）２は、電話網をデータ通信等に使用するために、その回線の端末に接続し、電話交換網の接続制御を行い、データ通信路への切り換えを行い、ループの保持を行うものである。また、ＮＣＵ２は、バス２６からの制御によって、電話回線２ａを電話機側に接続（ＣＭＬオフ）し、電話回線２ａをファクシミリ装置側に接続（ＣＭＬオン）するものである。なお、通常状態では、電話回線２ａは、電話機４側に接続されている。
【００１１】
ハイブリッド回路６は、送信系の信号と受信系の信号とを分離し、加算回路１２からの送信信号を、ＮＣＵ２経由で、電話回線２ａに送出し、相手側からの信号を、ＮＣＵ２経由で受け取り、信号線６ａ経由で、変復調器８に送る。
【００１２】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１３】
発呼回路１０は、バス２６からの信号によって、電話番号情報を入力し、信号線１０ａにＤＴＭＦの選択信号を出力する。
【００１４】
加算回路１２は、信号線８ａの情報と信号線１０ａの情報とを入力し、加算した結果を信号線１２ａに出力する。
【００１５】
読取回路１４は、読み取りデータをバス２６に出力する。
【００１６】
記録回路１６は、バス２６に出力されている情報を、順次、１ライン毎に記録する。
【００１７】
メモリ回路１８は、ワーク用のメモリ（ＲＡＭ）、読み取りデータの生情報、符号化した情報を格納し、また、受信情報、または、復号化した情報等を、バス２６を介して、格納するために使用する。
【００１８】
図２は、ＩＰ網への接続の有無、エコー（エコーサプレッサ）対策設定の有無が、メモリ回路１８に登録されている状態を示す図である。
【００１９】
メモリ回路１８には、図２に示すように、ＩＰ網への接続の有無、エコー（エコーサプレッサ）対策設定の有無を登録することができる。
【００２０】
操作部２０は、ワンタッチダイヤル、短縮ダイヤル、テンキー、＊キー、＃キー、スタートキー、ストップキー、セットキー、その他のファンクションキーを設け、押下されたキー情報は、バス２６に出力される。また、操作部２０には、表示部が設けられ、バス２６に出力されている情報を入力し、表示する。
【００２１】
ＣＰＵ（中央処理装置）２２は、ファクシミリ装置ＦＳ１の全体を制御し、ファクシミリ伝送制御手順を実行し、その制御プログラムは、ＲＯＭ２４に格納される。
【００２２】
ＲＯＭ２４は、ＩＰ網に接続したか否かを設定する手段と、エコーサプレッサを有効にするエコーサプレッサ有効化手段と、エコー情報を受信した場合における対策を実行する手段と、上記ＩＰ網への接続が設定されたときは、上記エコーサプレッサ有効化手段を無効にする無効化手段とを実現するプログラムを格納している。
【００２３】
次に、ファクシミリ装置ＦＳ１における制御動作について説明する。
【００２４】
図３、図４、図５は、ファクシミリ装置ＦＳ１における制御動作を示すフローチャートである。
【００２５】
Ｓ２では、バス２６を介して、メモリ１８をイニシャライズし、Ｓ４では、バス２６を介して、操作部の表示部をクリアし、Ｓ６では、バス２６を介して、ＮＣＵ２のＣＭＬをオフする。
【００２６】
Ｓ８では、操作部２０からの情報を入力し、ＩＰ網の接続の有無の登録が選択されたか否かを判断し、ＩＰ網の接続の有無の登録が選択されると、ステップＳ１０に進み、ＩＰ網の接続の有無の登録が選択されないと、ステップＳ１２に進む。
【００２７】
Ｓ１０では、バス２６を介して、メモリ１８に、ＩＰ網への接続の有無を登録する。Ｓ１２では、操作部２０からの情報を入力し、エコー（エコーサプレッサ）対策を実行するか否かの登録が選択されたか否かを判断し、エコー対策を実行するか否かの登録が選択されると、ステップＳ１４に進み、エコー対策を実行するか否かの登録が選択されなければ、ステップＳ１６に進む。
【００２８】
Ｓ１４では、バス２６を介して、メモリ１８に、エコー（エコーサプレッサ）対策を実行するか否かを登録する。
【００２９】
Ｓ１６では、ファクシミリ送信が選択されたか否かを判断し、ファクシミリ送信が選択されれば、ステップＳ２０に進み、ファクシミリ送信が選択されなければ、ステップＳ１８に進み、その他の処理を実行する。
【００３０】
Ｓ２０では、バス２６を介して、ＮＣＵ２のＣＭＬをオンし、Ｓ２２では、発呼回路を使用し、指定された宛先へ発呼し、Ｓ２４では、Ｔ１タイマに３５秒をセットし、Ｓ２６では、ＣＮＧ信号を送信し、Ｓ２８では、Ｔ４タイマに３秒をセットする。
【００３１】
Ｓ３０では、ＤＩＳ信号を受信したか否かを判断し、ＤＩＳ信号を受信すれば、ステップＳ３６に進み、ＤＩＳ信号を受信しなければ、ステップＳ３２に進む。Ｓ３２では、Ｔ４タイマがタイムオーバしたか否かを判断し、Ｔ４タイマがタイムオーバすれば、ステップＳ３４に進み、Ｔ４タイマがタイムオーバしなければ、ステップＳ３０に進む。
【００３２】
Ｓ３４では、Ｔ１タイマがタイムオーバしたか否かを判断し、Ｔ１タイマがタイムオーバすれば、ステップＳ６に進み、Ｔ１タイマがタイムオーバしなければ、ステップＳ２６に進む。
【００３３】
Ｓ３６では、メモリ１８に記憶されている情報を入力し、エコー（エコーサプレッサ）対策を実行するか否かを判断し、エコー対策を実行すれば、ステップＳ４４に進み、エコー対策を実行しなければ、ステップＳ３８に進む。
【００３４】
Ｓ３８では、ＤＣＳ・Ｔｒ／ＴＣＦ信号を送信し、Ｓ４０では、ファクシミリ画信号を送信し、Ｓ４２では、後手順を実行する。
【００３５】
Ｓ４４では、メモリ１８に記憶されている情報を入力し、ＩＰ網への接続であるか否かを判断し、ＩＰ網への接続であれば、ステップＳ３８に進み、ＤＩＳ信号の２度聞きによってエコーサプレッサを有効化せず、ＩＰ網への接続でなければ、ステップＳ４６に進み、ＤＩＳ信号の２度聞きによって、エコーサプレッサを有効とする。
【００３６】
Ｓ４６では、ＤＩＳ信号を受信したか否かを判断し、ＤＩＳ信号を受信していれば、ステップＳ３８に進み、ＤＩＳ信号を受信していなければ、ステップＳ４８に進む。
【００３７】
Ｓ４８では、Ｔ４タイマがタイムオーバしたか否かを判断し、Ｔ４タイマがタイムオーバしていれば、ステップＳ５０に進み、Ｔ４タイマがタイムオーバしていなければ、ステップＳ４６に進む。
【００３８】
Ｓ５０では、Ｔ１タイマがタイムオーバしたか否かを判断し、Ｔ１タイマがタイムオーバすれば、ステップＳ６に進み、Ｔ１タイマがタイムオーバしていなければ、ステップＳ４６に進む。
【００３９】
上記動作によって、一般のエコー対策を実施する。具体的なエコー対策は、コントロール信号を送信した後における受信によって、たとえば、６００ｍｓｅｃは、コントロール信号の受信をしない。また、コントロール信号を受信したときに、自機の送信したコントロール信号と同一であれば、このコントロール信号がエコーであると見なし、再度、コントロール信号を受信する。
【００４０】
上記実施例によれば、ＩＰ網への接続が設定されているときに、無意味なＤＩＳ信号の２度聞きによる通信時間の増加が無くなる。
【００４１】
なお、上記実施例を、次の実施形態として把握することができる。
【００４２】
［実施形態１］  ＩＰ網に接続したか否かを設定する手段と；
エコーサプレッサを有効にするエコーサプレッサ有効化手段と；
エコー情報を受信した場合における対策を実行する手段と；
上記ＩＰ網への接続が設定されたときは、上記エコーサプレッサ有効化手段を無効にする無効化手段と；
を有することを特徴とするファクシミリ装置。
【００４３】
［実施形態２］  実施形態１において、
上記ＩＰ網への接続が設定されると、エコー情報を受信した時の対策の実行を有効にすることを特徴とするファクシミリ装置。
【００４４】
［実施形態３］  実施形態１または実施形態２において、
上記ＩＰ網への接続が設定されないと、上記エコーサプレッサ有効化手段を有効にできることを特徴とするファクシミリ装置。
【００４５】
［実施形態４］  実施形態１〜実施形態３のいずれか１項において、
上記ＩＰ網への接続が設定されないと、上記エコー情報を受信した時の対策の実行を有効にすることを特徴とするファクシミリ装置。
【００４６】
【発明の効果】
本発明によれば、エコー対策設定がオンであるときに、ＩＰ網への接続が設定されなければ、エコーサプレッサ制御を有効にし、一方、ＩＰ網への接続が設定されたときに、エコーサプレッサ制御を無効にすることができるので、ＩＰ網への接続が設定されているときに、無意味なＤＩＳ信号の２度聞きによる通信時間の増加が無くなるという効果を奏する。
【図面の簡単な説明】
【図１】本発明の第１の実施例であるファクシミリ装置ＦＳ１の構成を示すブロック図である。
【図２】ＩＰ網への接続の有無、エコー（エコーサプレッサ）対策設定の有無が、メモリ回路１８に登録されている状態を示す図である。
【図３】ファクシミリ装置ＦＳ１における制御動作を示すフローチャートである。
【図４】ファクシミリ装置ＦＳ１における制御動作を示すフローチャートである。
【図５】ファクシミリ装置ＦＳ１における制御動作を示すフローチャートである。
【符号の説明】
ＦＳ１…ファクシミリ装置、
２…ＮＣＵ、
４…電話機、
６…ハイブリッド回路、
８…変復調器、
１０…発呼回路、
１２…加算回路、
１４…読取回路、
１６…記録回路、
１８…メモリ回路、
２０…操作部、
２２…ＣＰＵ、
２４…ＲＯＭ。
【図１】
2004228610.tif 000003
【図２】
2004228610.tif 000004
【図３】
2004228610.tif 000005
【図４】
2004228610.tif 000006
【図５】
2004228610.tif 000007